(57)【特許請求の範囲】
【請求項１】
無線基地局が、パーシステント・スケジューリングによって、移動局に対して下りデータを送信する際に用いる無線リソースを固定的に割り当てる工程Ａと、
前記無線基地局が、前記パーシステント・スケジューリングが適用されている期間に、ダイナミック・スケジューリングによって、前記移動局に対して割り当てられる無線リソースを変更する工程Ｂと
を有し、
前記移動局は、前記パーシステント・スケジューリングと前記ダイナミック・スケジューリングとが併用されるダイナミック・スケジューリング併用区間以外の区間における受信をＯＦＦ状態とすることを特徴とする無線リソース割り当て方法。
【請求項２】
前記パーシステント・スケジューリングによって、前記無線リソースとして、前記移動局に対して下りデータを送信するためのサブフレームが、固定的に割り当てられており、
前記工程Ｂにおいて、前記無線基地局が、前記パーシステント・スケジューリングによって固定的に割り当てられている前記サブフレームの前後に渡る所定数のサブフレームの範囲内で、前記ダイナミック・スケジューリングによって、前記移動局に対して追加の無線リソースを割り当てることを特徴とする請求項１に記載の無線リソース割り当て方法。
【請求項３】
前記パーシステント・スケジューリングは、前記下りデータとして、一定速度の低レート通信を行うアプリケーション用データを送信する際に適用されることを特徴とする請求項１に記載の無線リソース割り当て方法。
【請求項４】
前記工程Ｂにおいて、前記無線基地局が、共有データチャネルにおいて、前記移動局に対する前記追加の無線リソースを割り当てることを特徴とする請求項２に記載の無線リソース割り当て方法。
【請求項５】
前記移動局は、
前記ダイナミック・スケジューリング併用区間において、共有データチャネルを介した下りデータの受信に失敗した場合、前記無線基地局に対して、前記下りデータについての再送要求を送信するステップと、
前記再送要求の送信から所定時間経過後、通常受信状態に移行して、再送用チャネルを介して再送された下りデータの受信に備えるステップと
をさらに備える請求項１に記載の無線リソース割り当て方法。
【請求項６】
移動局に対して下りデータを送信する際に用いる無線リソースを固定的に割り当てるように構成されているパーシステント・スケジューリング部と、
前記固定的に割り当てられた前記無線リソースを用いて前記下りデータを前記移動局に対して送信している期間に、該移動局に対して割り当てられる無線リソースを変更するように構成されているダイナミック・スケジューリング部と
を具備し、
前記ダイナミック・スケジューリング部は、前記パーシステント・スケジューリングと前記ダイナミック・スケジューリングとが併用されるダイナミック・スケジューリング併用区間以外の区間における受信をＯＦＦ状態とする前記移動局に対して割り当てられる無線リソースを変更することを特徴とする無線基地局。
【請求項７】
前記パーシステント・スケジューリング部は、前記無線リソースとして、前記移動局に対して前記下りデータを送信するためのサブフレームを固定的に割り当てるように構成されており、
前記ダイナミック・スケジューリング部は、前記パーシステント・スケジューリング部によって固定的に割り当てられている前記サブフレームの前後に渡る所定数のサブフレームの範囲内で、前記移動局に対して追加の無線リソースを割り当てるように構成されていることを特徴とする請求項６に記載の無線基地局。
【請求項８】
前記パーシステント・スケジューリング部は、前記下りデータとして、一定速度の低レート通信を行うアプリケーション用データを送信する際に、前記無線リソースを固定的に割り当てるように構成されていることを特徴とする請求項６に記載の無線基地局。
【請求項９】
前記ダイナミック・スケジューリング部は、共有データチャネルにおいて、前記移動局に対する前記追加の無線リソースを割り当てるように構成されていることを特徴とする請求項７に記載の無線基地局。
【発明の詳細な説明】
【技術分野】
【０００１】
本発明は、広くは、無線通信制御技術に関し、特に、パーシステント・スケジューリング（Ｐｅｒｓｉｓｔｅｎｔ  Ｓｃｈｅｄｕｌｉｎｇ：固定的割り当てスケジューリング）と、ダイナミック・スケジューリング（Ｄｙｎａｍｉｃ  Ｓｃｈｅｄｕｌｉｎｇ：動的割り当てスケジューリング）とを併用する場合の無線リソース割当方法及び無線基地局に関する。
【背景技術】
【０００２】
ＨＳＤＰＡ（Ｈｉｇｈ  Ｓｐｅｅｄ  Ｄｏｗｎｌｉｎｋ  Ｐａｃｋｅｔ  Ａｃｃｅｓｓ）等の従来の通信方式では、下り共有制御チャネル（ＨＳ-ＳＣＣＨ：Ｈｉｇｈ  Ｓｐｅｅｄ-Ｓｈａｒｅｄ  Ｃｏｎｔｒｏｌ  Ｃｈａｎｎｅｌ）によって、所定の送信時間間隔（ＴＴＩ：Ｔｒａｎｓｍｉｓｓｉｏｎ  Ｔｉｍｅ  Ｉｎｔｅｒｖａｌ）ごとに、下りデータに対する送信機会の割り当て情報を、移動局に対して送信するように構成されている。【０００３】
しかし、音声通信等、ある種のトラヒックでは、例えば、数十ｍｓに１回、下りデータが送信されることが、予め決められているので、ＨＳ-ＳＣＣＨ相当のシグナリングチャネル（下り制御チャネル）を用いて、下りデータに対する送信機会の割り当て情報を送信するように構成した場合、かかるシグナリングチャネルのオーバヘッドが大きくなり、効率的ではない。【０００４】
そこで、「ｅｖｏｌｖｅｄ  ＵＴＲＡ」の標準化では、アプリケーションの特徴に応じて、一定周期毎に、下りデータに対して送信機会（無線リソース）を固定的に割り当てるパーシステントな無線リソース割り当てスケジューリング（パーシステント・スケジューリング）が提案されている（例えば、非特許文献１、２、３参照）。【０００５】
かかるパーシステント・スケジューリングは、一定間隔でデータが到着する低レート通信を行い且つオーバヘッドの低減が必要なアプリケーション、例えば、リアルタイムの音声通信アプリケーション等に対する適用することが有効であり、この場合、図１（ａ）に示すように、かかるアプリケーションの種類に応じた周期で無線リソースを割り当てるように構成されている。【０００６】
例えば、ＶｏＩＰパケットの場合、パーシステント・スケジューリングによって割り当てられた無線リソースは、ヘッダ圧縮後のパケットサイズが考慮されているため、固定的な伝送レートに合わせた最小単位になると予想される。【０００７】
ヘッダ圧縮前のＶｏＩＰパケットは、例えば、図１（ｂ）に示すように、４０バイトのヘッダとペイロードとで構成される。ここで、ペイロードサイズは、音声通信用のサンプルサイズ（例えば、１０バイト）の整数倍であり、図１（ｂ）の例では、３０バイトである。【０００８】
４０バイトのヘッダは、上述のサンプルサイズと比べて、大きなオーバヘッドになるので、圧縮アルゴリズムが適用される。圧縮アルゴリズムの種類によっては、最小１バイトまで、ヘッダを圧縮することができる。圧縮されたヘッダには、差分情報のみが含まれ、トータルのパケットサイズは、３１バイトとなる。【０００９】
この場合、ハンドオーバ等に伴ってパケットロスが生じると、ヘッダの圧縮状態を元の状態（非圧縮状態）に回復して、非圧縮状態のＶｏＩＰパケットを送信して、送信側と受信側との間で圧縮状態を同期させる必要が生じる。【００１０】
しかしながら、フルサイズ（例えば、７０バイト）のＶｏＩＰパケットを送信するとなると、固定的に割り当てられた無線リソースでは、リソース不足となることが考えられる。そうすると、フルサイズのＶｏＩＰパケットを送信するために、追加の無線リソースを割り当てる必要が生じる。【００１１】
さらに、パーシステント・スケジューリングが行われている期間において、移動局に対して、個別制御チャネル（ＤＣＣＨ：Ｄｅｄｉｃａｔｅｄ  Ｃｏｎｔｒｏｌ  Ｃｈａｎｎｅｌ）を用いて制御情報を伝送する必要がある場合にも、固定的に割り当てられた無線リソースでは、リソース不足となることが考えられ、同様に、追加の無線リソースを割り当てる必要が生じる。【００１２】
このように、固定的に割り当てられた無線リソースのみでは、リソース不足が発生することが予想される。【００１３】
以上のことを考え合わせると、パーシステント・スケジューリングが行われている期間においても、通常のダイナミック・スケジューリングを併用できることが望ましい。【００１４】
しかし、受信（移動局）側では、バッテリー・セイビング効果を期待して、パーシステント・スケジューリングが行われている期間中は、間欠受信（ＤＲＸ：Ｄｉｓｃｏｎｔｉｎｕｏｕｓ  Ｒｅｃｅｐｔｉｏｎ）を行っていることが想定される。このため、単純に、パーシステント・スケジューリングとダイナミック・スケジューリングとを併用してしまうと、間欠受信の効果が期待できなくなる。【００１５】
（非特許文献１）
Ｅｒｉｃｓｓｏｎ、Ｒ１-０６００９９、“Ｐｅｒｓｉｓｔｅｎｔ  Ｓｃｈｅｄｕｌｉｎｇ  ｆｏｒ  Ｅ-ＵＴＲＡ”、３ＧＰＰ  ＴＳＧ-ＲＡＮ  Ｗｇ１  ＬＴＥ  ＡｄＨｏｃ、Ｈｅｌｓｉｎｋｉ、Ｆｉｎｌａｎｄ、２００６年１月２３-２５日
（非特許文献２）
Ｑｕａｌｃｏｍｍ  Ｅｕｒｏｐｅ、Ｒ１-０６０１７３、“Ｃｏｎｓｉｄｅｒａｔｉｏｎｓ  ｆｏｒ  Ｃｏｎｔｒｏｌ  Ｓｉｇｎａｌｉｎｇ  Ｓｕｐｐｏｒｔ  ｏｆ  Ｒｅａｌ  Ｔｉｍｅ  Ｓｅｒｖｉｃｅｓ”、３ＧＰＰ  ＴＳＧ-ＲＡＮ  ＷＧ１  ＬＴＥ  ＡｄＨｏｃ、Ｈｅｌｓｉｎｋｉ、Ｆｉｎｌａｎｄ、２００６年１月２３-２５日
（非特許文献３）
Ｑｕａｌｃｏｍｍ  Ｅｕｒｏｐｅ、Ｒ１-０６０５５０、“Ｆｕｒｔｈｅｒ  Ｄｅｔａｉｌｓ  ｏｎ  ＨＳ-ＳＣＣＨ-ｌｅｓｓ  Ｏｐｅｒａｔｉｏｎ  ｆｏｒ  ＶｏＩＰ  Ｔｒａｆｆｉｃ”、３ＧＰＰ  ＴＳＧ-ＲＡＮ  ＷＧ２  Ｍｅｅｔｉｎｇ  ＃５１、Ｄｅｎｖｅｒ、Ｃｏｌｏｒａｄｏ、ＵＳＡ、２００６年２月１３-１７日
【発明の開示】
【００１６】
そこで、本発明は、以上の点に鑑みてなされたもので、パーシステント・スケジューリングが行われている期間において、移動局に対して、パーシステント・スケジューリングとダイナミック・スケジューリングとを併用した場合でも、効率的なバッテリー・セイビング効果を得ることができる無線リソース割り当て方法及び無線基地局を提供することを目的とする。
【００１７】
本発明の第１の特徴は、無線基地局が、パーシステント・スケジューリングによって、移動局に対して下りデータを送信する際に用いる無線リソースを固定的に割り当てる工程と、前記無線基地局が、前記パーシステント・スケジューリングが適用されている期間に、ダイナミック・スケジューリングによって、前記移動局に対して割り当てられる無線リソースを変更する工程Ｂとを有することを要旨とする。
【００１８】
本発明の第１の特徴において、前記パーシステント・スケジューリングによって、前記無線リソースとして、前記移動局に対して下りデータを送信するためのサブフレームが、固定的に割り当てられており、前記工程Ｂにおいて、前記無線基地局が、前記パーシステント・スケジューリングによって固定的に割り当てられている前記サブフレームの前後に渡る所定数のサブフレームの範囲内で、前記ダイナミック・スケジューリングによって、前記移動局に対して追加の無線リソースを割り当ててもよい。
【００１９】
本発明の第１の特徴において、前記パーシステント・スケジューリングは、前記下りデータとして、一定速度の低レート通信を行うアプリケーション用データを送信する際に適用されてもよい。
【００２０】
本発明の第１の特徴において、前記工程Ｂにおいて、前記無線基地局が、共有データチャネルにおいて、前記移動局に対する前記追加の無線リソースを割り当ててもよい。
【００２１】
本発明の第２の特徴は、無線基地局であって、移動局に対して下りデータを送信する際に用いる無線リソースを固定的に割り当てるように構成されているパーシステント・スケジューリング部と、前記固定的に割り当てられた前記無線リソースを用いて前記下りデータを前記移動局に対して送信している期間に、該移動局に対して割り当てられる無線リソースを変更するように構成されているダイナミック・スケジューリング部とを具備することを要旨とする。
【００２２】
本発明の第２の特徴において、前記パーシステント・スケジューリング部は、前記無線リソースとして、前記移動局に対して前記下りデータを送信するためのサブフレームを固定的に割り当てるように構成されており、前記ダイナミック・スケジューリング部は、前記パーシステント・スケジューリング部によって固定的に割り当てられている前記サブフレームの前後に渡る所定数のサブフレームの範囲内で、前記移動局に対して追加の無線リソースを割り当てるように構成されていてもよい。
【００２３】
本発明の第２の特徴において、前記パーシステント・スケジューリング部は、前記下りデータとして、一定速度の低レート通信を行うアプリケーション用データを送信する際に、前記無線リソースを固定的に割り当てるように構成されていてもよい。
【００２４】
本発明の第２の特徴において、前記ダイナミック・スケジューリング部は、共有データチャネルにおいて、前記移動局に対する前記追加の無線リソースを割り当てるように構成されていてもよい。
【図面の簡単な説明】
【００２５】
【図１】図１は、パーシステント・スケジューリング及びヘッダ圧縮について説明するための図である。
【図２】図２は、パーシステント・スケジューリングとダイナミック・スケジューリングとを併用する場合の無線リソース割り当て方法の一例を示す図である。
【図３】図３は、本発明の一実施形態に係る無線基地局の概略ブロック図である。
【図４】図４は、無線基地局のスケジューラが保持するパーシステント・スケジューリングパターンの一例を示す図である。
【発明を実施するための最良の形態】
【００２６】
以下、本発明の良好な実施形態について、図面を参照して説明する。【００２７】
図２は、本発明の一実施形態に係る無線リソース割り当て方法について説明するための図である。【００２８】
図２の例では、パーシステント・スケジューリングが行われている期間（パーシステント・スケジューリング期間）を「２０ｍｓ」とする。つまり、ＶｏＩＰパケット等の音声トラヒックが、２０ｍｓごとに存在するものとする。【００２９】
パーシステント・スケジューリングの１無線区間（パーシステント・スケジューリング期間）は、複数のサブフレームによって構成される。図２の例では、サブフレームのサイズは、「０.５ｍｓ」であり、パーシステント・スケジューリングの１無線区間（パーシステント・スケジューリング期間）は、４０サブフレームによって構成される。【００３０】
斜線で示すサブフレーム１１が、パーシステント・スケジューリングによって固定的に割り当てられている初回送信用の無線リソースである。【００３１】
かかるパーシステント・スケジューリングによって固定的に割り当てられているサブフレーム１１の前後の３サブフレームずつを含む７フレームが、ダイナミック・スケジューリングによって無線リソースが割り当てられて得るサブフレーム（ダイナミック・スケジューリング併用区間１２）である。【００３２】
ダイナミック・スケジューリング併用区間１２は、パーシステント・スケジューリングによって固定的に割り当てられている無線リソース（サブフレーム）の前後３サブフレームの範囲に限定されるわけではなく、例えば、前後２サブフレームずつ、前後４サブフレームずつにする等、設計により適宜選択できる。【００３３】
このようなダイナミック・スケジューリング併用区間１２は、システム設計時に予め決められていてもよいし、上位レイヤのシグナリング等により設定されてもよい。【００３４】
無線基地局が、移動局に対して、パーシステント・スケジューリングによって固定的に割り当てられている無線リソース（初回送信用の無線リソース）を用いて、ＶｏＩＰパケットを送信している期間中に、かかる初回送信用の無線リソースでは送信しきれないデータ量のＶｏＩＰパケットが到着した場合、或いは、かかる移動局に対してＤＣＣＨ等の制御チャネルを介して下り制御情報を送信する必要性が生じた場合、無線基地局は、ダイナミック・スケジューリング併用区間１２の範囲内で、無線状態の良好な無線リソースを選択して割り当て、かかる移動局に対して、割り当てた無線リソースを送信するように構成されている。【００３５】
移動局は、パーシステント・スケジューリングによって割り当てられている送信タイミングに合わせたダイナミック・スケジューリング併用区間１２の間は、通常受信状態（ＯＮ状態）になっているので、共通制御チャネル（例えば、Ｌ１/Ｌ２制御チャネル）や共有データチャネルを用いて送信される下り制御情報や下りデータを適切に受信することができる。【００３６】
すなわち、移動局は、音声パケットを間欠受信するのと近似したタイミングで、動的な送信タイミングで、共通制御チャネル（例えば、Ｌ１/Ｌ２制御チャネル）や共有データチャネルを用いて送信される下り制御情報や下りデータを受信することができる。【００３７】
移動局は、ダイナミック・スケジューリング併用区間１２以外の区間を、ＯＦＦ状態にすることによって、バッテリーの節約も実現され、動的な無線リソースの割り当てと、バッテリーの節約とを両立することができる。【００３８】
なお、移動局は、ダイナミック・スケジューリング併用区間１２において、共有データチャネルを介した下りデータの受信に失敗した場合は、無線基地局に対して、かかる下りデータについての再送要求を送る。【００３９】
ここで、移動局は、上述の再送要求を送信すると、所定時間経過後、例えば、無線基地局との間のラウンド・トリップ時間の経過後に、自動的に、通常受信状態（ＯＮ状態）に移行して、再送用チャネルを介して再送された下りデータの受信に備える。【００４０】
図３は、図２のような無線リソース割り当て制御を行う無線基地局の概略ブロック図である。無線基地局１０は、ＲＲＣ（無線リソース管理：Ｒａｄｉｏ  Ｒｅｓｏｕｒｃｅ  Ｃｏｎｔｒｏｌ）エンティティ１１と、ＲＬＣ（無線リンク管理：Ｒａｄｉｏ  Ｌｉｎｋ  Ｃｏｎｔｒｏｌ）エンティティ１２と、ＭＡＣ制御部１３と、スケジューラ１４と、スケジューリング情報生成部１５と、バッファ１６と、送信部１７と、受信部１８と、再送要求判定部１９とを含む。【００４１】
上位層データは、ＲＬＣエンティティ１２に入力される。上位層データは、Ｕ-Ｐｌａｎｅデータ（例えば、ＶｏＩＰパケット）であってもよいし、Ｃ-ｐｌａｎｅデータ（例えば、ダイナミック・スケジューリング併用区間１２を指定するＲＲＣメッセージ）であってもよい。【００４２】
ＲＬＣエンティティ１２は、入力された上位層データを分割して、スケジューラ１４に入力するように構成されている。【００４３】
スケジューラ１４は、入力された上位層データから、Ｌ１/Ｌ２制御チャネル等の共通制御チャネルを介して送信する下り制御情報や、共有データチャネルを介して送信する下りデータを生成して、バッファ１６にバッファリングするように構成されている。【００４４】
スケジューラ１４のダイナミック・スケジューリング部２２は、パーシステント・スケジューリング部２１によって固定的に割り当てられた無線リソースを用いて下りデータを移動局に対して送信している期間に、かかる移動局に対して割り当てられる無線リソースを変更するように構成されている。【００４５】
具体的には、ダイナミック・スケジューリング部２２は、パーシステント・スケジューリング部２１によって固定的に割り当てられているサブフレーム（送信タイミング）の前後に渡る所定数のサブフレーム（ダイナミック・スケジューリング併用区間１２）の範囲内で、移動局に対して追加の無線リソースを割り当てるように構成されている。【００４６】
例えば、ダイナミック・スケジューリング部２２は、上述のダイナミック・スケジューリング併用区間１２の範囲内で、共有データチャネルを介して送信される下りデータに対して送信機会を動的に割り当てることができ、また、共通制御チャネルを介して送信される下り制御情報に対して送信機会を動的に割り当てることができる。【００４７】
また、例えば、ダイナミック・スケジューリング部２２は、パーシステント・スケジューリング部２１によって固定的に割り当てられているサブフレーム（ダイナミック・スケジューリング併用区間１２の範囲内）において、移動局に対して追加の無線リソースを割り当てることによって、かかる移動局に対して割り当てられる無線リソースを変更するように構成されていてもよい。【００４８】
一方、スケジューラ１４のパーシステント・スケジューリング部２１は、移動局に対して下りデータを送信する際に用いる無線リソース（サブフレーム（送信タイミング）及び周波数リソースブロック）を固定的に割り当てるように構成されている。【００４９】
例えば、パーシステント・スケジューリング部２１は、図４に示すようなパーシステント・スケジューリングのタイミングパターンを保持しており、ＶｏＩＰ等の一定種類のアプリケーション用データについての送信タイミングを制御するように構成されている。【００５０】
図４の例では、パーシステント・スケジューリング部２１は、一定周期ごとに、各移動局に対して、所定パターンで、周波数リソースブロックを割り当てるように構成されている。【００５１】
また、パーシステント・スケジューリング部２１は、移動局との間の伝搬環境が悪い場合には、使用する周波数リソースブロックを、所定パターンに従って変更するように構成されていてもよい。【００５２】
例えば、パーシステント・スケジューリング部２１は、下りデータとして、一定速度の低レート通信を行うアプリケーション用データ（例えば、ＶｏＩＰパケット）を送信する際に、無線リソースを固定的に割り当てるように構成されている。【００５３】
スケジューリング情報生成部１５は、ダイナミック・スケジューリング部２２の決定に従って、ダイナミック・スケジューリング情報を生成するように構成されている。また、スケジューリング情報生成部１５は、パーシステント・スケジューリング部２１の決定に従って、パーシステント・スケジューリング情報を生成するように構成されている。【００５４】
また、ダイナミック・スケジューリング部２２が、パーシステント・スケジューリング部２１によって固定的に割り当てられているサブフレーム（ダイナミック・スケジューリング併用区間１２の範囲内）において、移動局に対して追加の無線リソースを割り当てる場合、スケジューリング情報生成部１５は、上述のダイナミック・スケジューリング情報を生成する代わりに、上述のパーシステント・スケジューリング情報の内容を変更するように構成されていてもよい。【００５５】
かかる場合、スケジューリング情報生成部１５は、所定期間（例えば、１パーシステント・スケジューリング期間）が経過した後、上述のパーシステント・スケジューリング情報の内容を、元の内容に戻すように構成されていてもよい。【００５６】
送信部１７は、スケジューリング情報生成部１５によって生成されたスケジューリング情報に従って、該当する移動局に対して割り当てられている無線リソース（サブフレーム及び周波数リソースブロック）で、バッファリングされている下りデータを送信するように構成されている。【００５７】
また、送信部１７は、スケジューリング情報生成部１５で生成されたパーシステント・スケジューリング情報に従って、該当する移動局に対して固定的に割り当てられている無線リソース（サブフレーム及び周波数リソースブロック）で、バッファリングされている下りデータを送信するように構成されている。【００５８】
移動局から送信される下りデータに対する受信確認応答（ＡＣＫ/ＮＡＣＫ）は、受信部１８で受信され、再送要求判定部１９に入力される。【００５９】
再送要求判定部１９は、入力された受信確認応答に基づいて、当該下りデータについて再送を行うか否かについて判断し、かかる判断結果をスケジューラ１４に入力するように構成されている。【００６０】
スケジューラ１４の再送制御部２３は、入力された再送要求についての判断結果に応じて、当該下りデータの再送のためのスケジューリングを行うように構成されている。【００６１】
なお、パーシステント・スケジューリングによって送信される下りデータ（ＶｏＩＰパケット等）については、初回送信から一定時間（例えば、ラウンド・トリップ時間）ごとに、所定のサブフレームを割り当てる方式（同期型再送制御）を用いて再送することが望ましい。【００６２】
追加で割り当てられる無線リソースについては、ダイナミック・スケジューリングを実現するために送信されるチャネル（Ｌ１/Ｌ２制御チャネル）を用いて、初回送信から一定時間（例えば、ラウンド・トリップ時間）経過後の任意のサブフレームに割り当てる方式（非同期型再送制御）を用いて再送してもよいが、移動局の間欠受信効果を維持する観点からは、追加で割り当てられる無線リソースについても、同期型再送制御を用いて再送することが望ましい。【００６３】
以上述べたように、本実施形態によれば、音声通話やテレビ電話（ＶｏＩＰ）等の一定速度かつ低レートのトラヒックについては、一定周期で無線リソースを割り当てるパーシステント・スケジューリングに基づいてパケットの送信を行うように構成されている。【００６４】
そして、固定的に割り当てられる初回送信用の無線リソースでは送信しきれない下りデータが生じた場合は、パーシステント・スケジューリングによって固定的に割り当てられている送信タイミングの前後の所定の併用範囲内で、追加の下りデータや、個別制御チャネルを介して送信する制御情報に対して、動的に無線リソースを割り当てる（ダイナミック・スケジューリングを行う）ように構成されている。【００６５】
これにより、移動局では、所定タイミングで所定期間だけ通常受信状態（ＯＮ状態）になることで、Ｌ１/Ｌ２制御チャネルを適切に受信できると同時に、間欠受信の効果も維持することができる。【００６６】
すなわち、本実施形態の構成によれば、パーシステント・スケジューリングで、サービスを受けている移動局が、Ｌ１/Ｌ２制御チャネル（共通制御チャネル）等を介して制御情報を受信するために、常時、通常受信状態（ＯＮ状態）でいる必要がなくなるため、間欠受信によるバッテリー・セイビング効果が期待できる。【００６７】
なお、日本国特許出願第２００６-１６９４５７号（２００６年６月１９日出願）の全内容が、参照により、本願明細書に組み込まれている。【００６８】
また、「Ｅｒｉｃｓｓｏｎ、Ｒ１-０６００９９、“Ｐｅｒｓｉｓｔｅｎｔ  Ｓｃｈｅｄｕｌｉｎｇ  ｆｏｒ  Ｅ-ＵＴＲＡ”、３ＧＰＰ  ＴＳＧ-ＲＡＮ  Ｗｇ１  ＬＴＥ  ＡｄＨｏｃ、Ｈｅｌｓｉｎｋｉ、Ｆｉｎｌａｎｄ、２００６年１月２３-２５日」の全内容が、参照により、本願明細書に組み込まれている。【００６９】
また、「Ｑｕａｌｃｏｍｍ  Ｅｕｒｏｐｅ、Ｒ１-０６０１７３、“Ｃｏｎｓｉｄｅｒａｔｉｏｎｓ  ｆｏｒ  Ｃｏｎｔｒｏｌ  Ｓｉｇｎａｌｉｎｇ  Ｓｕｐｐｏｒｔ  ｏｆ  Ｒｅａｌ  Ｔｉｍｅ  Ｓｅｒｖｉｃｅｓ”、３ＧＰＰ  ＴＳＧ-ＲＡＮ  ＷＧ１  ＬＴＥ  ＡｄＨｏｃ、Ｈｅｌｓｉｎｋｉ、Ｆｉｎｌａｎｄ、２００６年１月２３-２５日」の全内容が、参照により、本願明細書に組み込まれている。【００７０】
さらに、「Ｑｕａｌｃｏｍｍ  Ｅｕｒｏｐｅ、Ｒ１-０６０５５０、“Ｆｕｒｔｈｅｒ  Ｄｅｔａｉｌｓ  ｏｎ  ＨＳ-ＳＣＣＨ-ｌｅｓｓ  Ｏｐｅｒａｔｉｏｎ  ｆｏｒ  ＶｏＩＰ  Ｔｒａｆｆｉｃ”、３ＧＰＰ  ＴＳＧ-ＲＡＮ  ＷＧ２  Ｍｅｅｔｉｎｇ  ＃５１、Ｄｅｎｖｅｒ、Ｃｏｌｏｒａｄｏ、ＵＳＡ、２００６年２月１３-１７日」の全内容が、参照により、本願明細書に組み込まれている。【００７１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【産業上の利用の可能性】
【００７２】
以上説明したように、本発明の実施例によれば、パーシステント・スケジューリングが行われている期間において、移動局に対して、パーシステント・スケジューリングとダイナミック・スケジューリングとを併用した場合でも、効率的なバッテリー・セイビング効果を得ることができる無線リソース割り当て方法及び無線基地局を提供することができる。
【図１】
0005184352.tif 000002
【図２】
0005184352.tif 000003
【図３】
0005184352.tif 000004
【図４】
0005184352.tif 000005